(57)【特許請求の範囲】
【請求項１】
オンライン編集装置から映像信号を入力する入力手段と、ディスク型の記録媒体に前記映像信号を記録するディスク記録手段と、演算手段と、ディスプレイと、操作部と、電源とを携帯用ケースに収容した携帯用ＡＶ編集装置であって、
前記演算手段は、
前記入力手段が前記オンライン編集装置に接続されているときに、前記オンライン編集装置からの映像信号を前記ディスク記録手段に記録させ、
前記入力手段が前記オンライン編集装置に接続されていないときに、前記ディスク記録手段に予め記録された映像信号に基づいて、前記操作部の操作に応じたオフライン編集を行う
携帯用ＡＶ編集装置。
【請求項２】
前記映像信号は圧縮された映像信号であり、
前記入力手段は、前記オンライン編集装置に記録された映像信号のうち必要なシーンに対応して選択された映像信号を入力する
請求項１に記載の携帯用ＡＶ編集装置。
【請求項３】
前記映像信号の選択は、サーチダイヤルによるマニュアル操作モードあるいは所定の時間間隔で自動的に選択される自動モードのいずれかによって行われる請求項１または２に記載の携帯用ＡＶ編集装置。
【請求項４】
前記オフライン編集は、
前記オンライン編集装置から入力された映像信号をスタンプピクチャ単位で表示する第１の表示部と、
前記第１の表示部に表示されたスタンプピクチャのうち、前記操作部の操作に応じて指定されたシーンを構成するピクチャ群の最初あるいは最後のスタンプピクチャを表示する第２の表示部と、
前記第２の表示部に表示されたスタンプピクチャを前記操作部の操作に応じて指定しながらプログラムしたときに、前記プログラムされたピクチャ群を表示する第３の表示部と
をディスプレイに表示して行う
請求項１〜３のいずれかに記載の携帯用ＡＶ編集装置。
【請求項５】
前記入力手段は、前記映像信号を少なくともフィールド単位で入力し、前記ディスク記録手段は、前記映像信号を少なくともフレーム単位で記録する請求項１〜４のいずれかに記載の携帯用ＡＶ編集装置。
【請求項６】
前記ディスク型の記録媒体は、光磁気ディスクである請求項１〜５のいずれかに記載の携帯用ＡＶ編集装置。
【請求項７】
前記映像信号は、音響信号をも含む請求項１〜６のいずれかに記載の携帯用ＡＶ編集装置。
【発明の詳細な説明】
技術分野
本発明は、オンライン編集およびオフライン編集に関する処理を行うことができる携帯用ＡＶ編集装置に関する。
背景技術
スタジオやロケで収録された部分は場面あるいはカットごとの収録であり、特別な効果を付加していないので編集でより効果的な映像、音声の組み立てと長さを調整しなければならない。ビデオテープでの編集は、電気的にダビングする電子編集方式がとられている。この電子編集方式にも、直接最終記録媒体を用いて編集するオンライン編集と、安価な媒体、装置を用いてオンライン編集用のデータを作成するオフライン編集がある。従来では、ユーザは、オンライン編集を行う際にはオンライン編集用の編集装置を用いて編集操作を行い、オフライン編集を行う際にはオフライン編集用の編集装置を用いて編集操作を行っていた。
しかしながら、従来では、上述した編集装置は携帯性を考慮して設計されてなく、編集装置を用いてユーザが編集処理をするにあたって、場所的および時間的な制約があった。
発明の開示
本発明は、上述したような制約を解消するために、ユーザが場所的および時間的な制約を受けずにＡＶ（Audio Visual）信号の編集処理を行うことができる携帯用ＡＶ編集装置を提供することを目的とする。
本発明によれば、オンライン編集装置から映像信号を入力する入力手段と、映像信号をディスク型の記録媒体に前記映像信号を記録するディスク記録手段と、演算手段と、ディスプレイと、操作部と、電源とを携帯用ケースに収容した携帯用ＡＶ編集装置であって、前記演算手段は、前記入力手段が前記オンライン編集装置に接続されているときに、前記オンライン編集装置からの映像信号を前記ディスク記録手段に記録させ、前記入力手段が前記オンライン編集装置に接続されていないときに、前記ディスク記録手段に予め記録された映像信号に基づいて、前記操作部の操作に応じたオフライン編集を行う携帯用ＡＶ編集装置が提供される。
また、本発明の携帯用ＡＶ編集装置は、好適には、前記映像信号は圧縮された映像信号であり、前記入力手段は、前記オンライン編集装置に記録された映像信号のうち必要なシーンに対応して選択された映像信号を入力する。
また、本発明の携帯用ＡＶ編集装置は、好適には、前記映像信号の選択は、サーチダイヤルによるマニュアル操作モードあるいは所定の時間間隔で自動的に選択される自動モードのいずれかによって行われる。
また、本発明の携帯用ＡＶ編集装置は、好適には、前記オフライン編集は、前記オンライン編集装置から入力された映像信号をスタンプピクチャ単位で表示する第１の表示部と、前記第１の表示部に表示されたスタンプピクチャのうち、前記操作部の操作に応じて指定されたシーンを構成するピクチャ群の最初あるいは最後のスタンプピクチャを表示する第２の表示部と、前記第２の表示部に表示されたスタンプピクチャを前記操作部の操作に応じて指定しながらプログラムしたときに、前記プログラムされたピクチャ群を表示する第３の表示部とを前記ディスプレイに表示して行う。
また、本発明の携帯用ＡＶ編集装置は、好適には、前記入力手段は、前記映像信号を少なくともフィールド単位で入力し、前記ディスク記録手段は、前記映像信号を少なくともフレーム単位で記録する。
また、本発明の携帯用ＡＶ編集装置は、好適には、前記ディスク型の記録媒体は、光磁気ディスクである。
さらに、本発明の携帯用ＡＶ編集装置は、好適には、前記映像信号は、映像信号に加えて音響信号をも含む。
【図面の簡単な説明】
本発明の上述した目的および特徴、および、その他の目的および特徴は、添付図面に関連づけて述べる下記の記述から一層明瞭になるのであって、
図１は、本発明の実施例に係わる携帯用ＡＶ編集装置およびハイブリッドレコーダを説明するための図であり、
図２は、図１に示すハイブリッドレコーダの構成図であり、
図３は、図１に示す携帯用ＡＶ編集装置の構成図であり、
図４Ａは、本発明の実施例に係わるアタッシュケースの平面図であり、
図４Ｂは、本発明の実施例に係わるアタッシュケースの正面図であり、
図４Ｃは、本発明の実施例に係わるアタッシュケースの側面図であり、
図５Ａは、図１に示す携帯用ＡＶ編集装置を用いてオンライン編集を行う場合の概念図であり、
図５Ｂは、図１に示す携帯用ＡＶ編集装置を用いてオフライン編集を行う場合の概念図であり、
図６は、図１に示す携帯用ＡＶ編集装置およびハイブリッドレコーダにおけるイベントフローの概念図であり、
図７は、オンライン編集あるいはオフライン編集において、図１に示すパーソナルコンピュータのディスプレイに表示されるＧＵＩの画面であり、
図８は、本発明の実施例におけるシーン選択処理のフローチャートであり、
図９は、本発明の実施例におけるダビング処理のフローチャートであり、
図１０は、本発明の実施例におけるＥＤＬ作成処理のフローチャートであり、
図１１は、本発明の実施例における編集終了処理のフローチャートであり、
図１２Ａは、ＳＤＤＩ方式のビデオ信号のフレーム構成を示す図であり、
図１２Ｂは、ＳＤＤＩ方式の伝送用パケットの構成を示す図であり、
図１２Ｃは伝送されるＳＤＤＩ方式のビデオ信号のデータ速度を示す図であり、
図１３Ａは、図１２Ａ，図１２Ｂ，図１２Ｃに示したＳＤＤＩ方式の伝送用パケットのアンシラリデータ部ＡＮＣに含まれるヘッダ（ＨＥＡＤＥＲ）データの構成を示す図であり、
図１３Ｂは、図１２Ａ，図１２Ｂ，図１２Ｃに示したＳＤＤＩ方式の伝送用パケットのアンシラリデータ部ＡＮＣにおけるヘッダ（ＨＥＡＤＥＲ）が置かれる位置を示す。
図１４は、図１２Ａ，図１２Ｂ，図１２Ｃに示したＳＤＤＩ方式の伝送用パケットのペイロード部ＰＡＤに含まれるビデオ信号のデータ構成を例示する図であり、
図１５Ａは、図１４に示したペイロード部の部分ａ，ｂに含まれるデータを示す図であり、
図１５Ｂは、図１５Ａに示した部分ａ（ＥＸＴＥＮＳＩＯＮ）に含まれるデータを示す図であり、
図１５Ｃは、図１４に示した部分ｃに含まれるデータを示す図であり、
図１５Ｄは、図１５Ｃの部分ｃ（Ｆｒａｍｅ．Ｓｅｑ．）に含まれるデータの内容を示す図であり、
図１５Ｅは、図１５Ｃの部分ｄ（Ｆｒａｍｅ．Ｓｅｑ．）に含まれるデータの内容を示す図である。
発明を実施する最良の形態
以下、本発明の実施例に係わる携帯用ＡＶ編集装置について説明する。
図１は、本実施例に係わる携帯用ＡＶ編集装置１を説明するための図である。
図１に示すように、携帯用ＡＶ編集装置１とハイブリッドレコーダ２０とはオンラインで接続されたときに相互間でＳＤＤＩ（Serial Digital Data Interface）方式によるＳＤＤＩ信号の送受信を行う。ＳＤＤＩ方式は、ＳＭＰＴＥ（Society of Motion and Television Engineerings）のＳＭＰＴＥ−２５９Ｍに標準化されているシリアルディジタルインタフェースＳＤＩ(Serial Digital Interface)方式よりもマルチメディア化およびマルチチャネル化に適していながら、ＳＤＤＩ方式と高い互換性を有する伝送方式である。ＳＤＤＩ信号のフォーマットについて後述する。
ハイブリッドレコーダ２０は、例えば、放送局から離れた現場に置かれ、外部装置との間でＡＶ信号の入出力を行うと共に、ＳＤＤＩ信号を放送局に送信する。
携帯用ＡＶ編集装置１は、アタッシュケース２内に、インターフェース回路４、ディスク６およびサーチダイヤル７を備えると共に、パーソナルコンピュータ３を格納して構成される。インターフェース回路４には、インターフェース回路を含む種々の処理回路が含まれている。
先ず、図１に示すハイブリッドレコーダ２０について説明する。
図２は、図１に示すハイブリッドレコーダ２０の構成図である。
図２に示すように、ハイブリッドレコーダ２０は、システムコントローラ２１、ＶＴＲ２２、ハードディスク２３、ＳＤＤＩエンコーダ２４、ＳＤＤＩトランスフォーマ２５，２６、切換スイッチ２７，２８およびＳＤＤＩデコーダ２９を有する。
システムコントローラ２１は、携帯用ＡＶ編集装置１とハイブリッドレコーダ２０とがオンライン接続されたときに、ＶＴＲ２２およびハードディスク２３と携帯用ＡＶ編集装置１との間のＳＤＤＩ信号の入出力を制御する。
切換スイッチ２７は、外部装置からのＡＶ信号とＳＤＤＩデコーダ２９からのＡＶ信号とを入力し、これらを選択的にＳＤＤＩエンコーダ２４に出力する。
ＳＤＤＩエンコーダ２４は、切換スイッチ２７から入力したＡＶ信号をエンコードしてＳＤＤＩ信号を生成し、このＳＤＤＩ信号をＶＴＲ２２およびＳＤＤＩトランスフォーマ２５，２６に出力する。
切換スイッチ２８は、ＳＤＤＩトランスフォーマ２５，２６からのＳＤＤＩ信号を選択的に、ＳＤＤＩデコーダ２９に出力する。また、切換スイッチ２８からのＳＤＤＩ信号は、例えば、送信機などを介して放送局にオフラインで伝送される。このように、ＳＤＤＩ信号を放送局に伝送することで、ＡＶ信号を用いた場合では伝送できなタイムコードなどのデータを伝送することができる。
ＳＤＤＩデコーダ２９は、切換スイッチ２８から入力したＳＤＤＩ信号をデコードしてＡＶ信号を生成し、このＡＶ信号をディスプレイ３０および切換スイッチ２７に出力する。
図２に示すように、ハイブリッドレコーダ２０は、ビデオテープにＡＶ信号を記録再生するＶＴＲ２２と、その再生信号を編集するためのハードディスク２３とを備えている。ハードディスク２３は、例えば磁気ディスクや光ディスクなどの記録媒体としており、素材に対してランダムに高速にアクセスすることができ、高い編集効率を得ることができる。ハイブリッドレコーダ２０は、オンライン編集を行うための機能を備えており、比較的規模は大きく、携帯性はない。
尚、図２に示すハイブリッドレコーダ２０では、例えば、ＶＴＲ２２からハードディスク２３にＳＤＤＩ信号を出力する場合には、ＶＴＲ２２からのＳＤＤＩ信号を、切換スイッチ２８、ＳＤＤＩデコーダ２９、切換スイッチ２７、ＳＤＤＩエンコーダ２４、およびＳＤＤＩトランスフォーマ２５，２６を順に介してハードディスク２３に出力する。
次に、図１に示す携帯用ＡＶ編集装置１について説明する。
図３は、図１に示す携帯用ＡＶ編集装置１の構成図である。
図３に示すように、携帯用ＡＶ編集装置１は、サーチダイヤル７、バッテリ８ａ，８ｂ、ボタン５９、Ｓ／Ｐ（シリアル／パラレル）コンバータ４０、ＳＤＤＩインタフェース４１、ＭＰＵ（マイクロプロセッサユニット）４２、インタフェース４３，５０、ＪＰＥＧエンコーダ／デコーダ４４、オーディオコンバータ４５、オーディオデコーダ４６、４チャンネルオーディオＤ／Ａ変換器４７、チャンネルセレクタ４８、ヘッドフォン４９およびパワーコントローラ５１を有する。
ディスク６は、例えば、３．５インチのＭＯ(Magnet Optical recording)ディスクなどの光ディスクあるいはハードディスクなどの磁気ディスクなどのランダムアクセス可能なディスク型記憶装置である。ディスク６は例えば、６００Ｍｂｙｔｅ程度の記憶容量を有する。ディスク６には、ＡＶ信号が例えばフレーム単位で記憶され、映像信号と音声信号とが関連づけて記録されている。
尚、ディスク６に記録されるＡＶ信号は、約１時間程度のものになるように、例えば１／１００などの所定のデータ圧縮レートで圧縮されている。すなわち、編集を行う際には、パーソナルコンピュータ３のディスプレイ３ａには高精度な画像を表示する必要がないことから、このようにＡＶ信号をデータ圧縮してＭＯディスク６に記録することで、できるだけ長時間のＡＶ信号の記録を可能にする。
サーチダイヤル７は、例えば、携帯用ＡＶ編集装置１とハイブリッドレコーダ２０とを接続してオンライン編集を行う際にＶＴＲ２２の頭出しを行うために用いられる。
ＭＰＵ４２は、ユーザによるサーチダイヤル７およびボタン５９などの操作に応じて、予め記憶された所定のマイクロプログラムに基づいて、携帯用ＡＶ編集装置１内の各構成要素の動作を制御する。また、ＭＰＵ４２は、ＳＤＤＩインタフェース４１からタイムコード信号を入力し、このタイムコード信号をインタフェース４３を介してハイブリッドレコーダ２０に出力する。
インタフェース４３としては、例えばＲＳ−４２２などが用いられる。
Ｓ／Ｐコンバータ４０は、携帯用ＡＶ編集装置１とハイブリッドレコーダ２０とがオンラインで接続されたときに、ハイブリッドレコーダ２０のシステムコントローラ２１からシリアル形式のＳＤＤＩ信号を例えばフィールド単位で入力し、これをパラレル形式のＳＤＤＩ信号に変換してＳＤＤＩインタフェース４１に出力する。
ＳＤＤＩインタフェース４１は、Ｓ／Ｐコンバータ４０からのパラレル形式のＳＤＤＩ信号を分離し、タイムコード信号、ビデオ信号およびオーディオ信号をそれぞれＭＰＵ４２、ＪＰＥＧエンコーダ／デコーダ４４およびオーディオコンバータ４５に出力する。
ＪＰＥＧエンコーダ／デコーダ４４は、ビデオ信号をエンコードおよびデコードする機能を有している。
オーディオコンバータ４５は、ＳＤＤＩインタフェース４１から入力したオーディオ信号を変換し、この変換したオーディオ信号をオーディオデコーダ４６およびインタフェース５０に出力する。インタフェース５０としては、例えばＳＣＳＩ（Small Computer System Interface）−２が用いられる。インタフェース５０は、パーソナルコンピュータ３および３．５インチのＭＯディスク６と接続してある。
オーディオデコーダ４６は、オーディオコンバータ４５から入力したオーディオ信号をデコードして４チャンネルオーディオＤ／Ａ変換器４７に出力する。
４チャンネルオーディオＤ／Ａ変換器４７は、４個のチャンネルを備え、オーディオデコーダ４６から入力したディジタル形式のオーディオ信号をアナログ形式のオーディオ信号に変換する。
チャンネルセレクタ４８は、４チャンネルオーディオＤ／Ａ変換器４７の４個のチャンネルから１のチャンネルを選択し、この選択したチャンネルからのオーディオ信号をヘッドフォン４９に出力する。
パワーコントローラ５１は、バッテリ８ａ，８ｂからの電力を携帯用ＡＶ編集装置１内の各構成要素に供給する。
図４Ａはアタッシュケース２の平面図、図４Ｂはアタッシュケース２の正面図、図４Ｃはアタッシュケース２の側面図である。
図４Ａ，図４Ｂ，図４Ｃに示すように、アタッシュケース２の底部付近にはディスク６およびバッテリー８ａ，８ｂが配置してある。バッテリー８ａ，８ｂによって、パーソナルコンピュータ３を含む各構成要素が駆動される。バッテリー８ａ，８ｂとしては、例えば、リチウム−イオンバッテリーが用いられる。底部から高さＣの位置にはプレート９が設けてあり、プレート９の上にはパーソナルコンピュータ３、サーチダイヤル７およびボタン５９などが配置してある。
アタッシュケース２は、縦（Ａ）×横（Ｂ）が例えば２９０（ｍｍ）×３９０（ｍｍ）であり、底部からプレート９までの高さ（Ｃ）は６０（ｍｍ）であり、厚み（Ｄ）は１２５（ｍｍ）である。また、携帯用ＡＶ編集装置１およびアタッシュケース２の重量の総和は約５ｋｇ程度である。そのため、携帯用ＡＶ編集装置１を収納したアタッシュケース２は携帯性に優れている。
パーソナルコンピュータ３としては、例えば、市販のパーソナルコンピュータが用いられる。
以下、図１〜４に示す携帯用ＡＶ編集装置１を用いて編集を行う場合について説明する。
先ず、オンライン編集を行う場合について説明する。
図５Ａは、図１に示す携帯用ＡＶ編集装置１を用いてオンライン編集を行う場合の概念図である。
ビデオカメラなどで撮像したビデオテープ２５をハイブリッドレコーダ２０に取り込む。
オンライン編集は、インタフェース回路４にハイブリッドレコーダ２０を接続した状態で行う。
すなわち、ハイブリッドレコーダ２０からのＡＶ信号がＳＤＤＩ方式で携帯用ＡＶ編集装置１に伝送され、その後、ＡＶ信号がパーソナルコンピュータ３に出力され、ユーザがパーソナルコンピュータ３のディスプレイ３ａに表示された画像を見ながら、編集操作を行い、この操作に応じた編集データがハイブリッドレコーダ２０に出力される。ユーザは編集操作において、例えば、サーチダイヤル７を用いてビデオテープの頭出しを行うことができる。
ハイブリッドレコーダ２０は、携帯用ＡＶ編集装置１から入力した編集データをＳＮＧ（Satellite News Gathering）システム１２０、ＲＦ（Radio Frequency）通信システム１２１あるいはモデムを用いることで電話回線１２２を介して、現場から放送局に伝送する。
次に、オフライン編集を行う場合について説明する。
図５Ｂは、図１に示す携帯用ＡＶ編集装置１を用いてオフライン編集を行う場合の概念図である。
撮像したビデオテープ２５をハイブリッドレコーダ２０に取り込む。
オフライン編集を行う場合には、予めＡＶ信号をハイブリッドレコーダ２０から携帯用ＡＶ編集装置１のディスク６に転送して記憶しておく。
ＡＶ信号がディスク６に記憶された後は、ハイブリッドレコーダ２０とインターフェース回路４とを切り離した状態で、ディスク６に記憶してあるＡＶ信号をパーソナルコンピュータ３が読み取り、画像をディスプレイ３ａに表示させる。ユーザは、ディスプレイ３ａに表示された画像を見ながら、パーソナルコンピュータ３のキーボード３ｂを操作してＥＤＬ（Edit Decision List）を作成する。かかるＥＤＬは、フロッピーディスク１１に記憶される。
すなわち、携帯用ＡＶ編集装置１はアタッシュケース２に格納してあることから、ＡＶ信号をディスク６に記憶した後は、ユーザはアタッシュケース２を持って移動し、時間的および場所的な制約を受けずに、オフライン編集を行ってＥＤＬを作成できる。このオフライン編集において、例えば、パーソナルコンピュータ３のディスプレイ３ａにＡＶ信号に応じた画像をフレーム単位に複数個同時に表示し、ユーザが、例えばマスウなどを用いて必要なフレームをクリックして特定するような処理を行ってもよい。
オフライン編集によって作成したＥＤＬは、電話回線１２２を介して放送局に伝送されるか、あるいは、フロッピーディスク１１に記憶されて放送局まで運ばれる。
そして、放送局に備えてあるオンライン編集装置にオフライン編集で作成したＥＤＬを入力し、かかるＥＤＬに基づいてオンライン編集を行う。
このように、オフライン編集を行い、その後、既に作成されたＥＤＬに基づいてオンライン編集を行えば、高価なオンライン編集装置を長時間使用して操作を行う必要がなく、経済的に好ましい。
上述したように、本実施例の携帯用ＡＶ編集装置１によれば、インターフェース回路４とハイブリッドレコーダ２０とを接続することでオンライン編集を行うことができると共に、ハイブリッドレコーダ２０とは隔離した状態でオフライン編集を行うこともできる。
さらに、携帯用ＡＶ編集装置１は大きさおよび重量的に携帯性があり、独自のバッテリー８ａ，８ｂを備えていることから、ユーザが携帯用ＡＶ編集装置１を用いて時間的および場所的な制約を受けずに、オフライン編集を行うことができる。
以下、図１〜図３に示す携帯用ＡＶ編集装置１およびハイブリッドレコーダ２０における具体的な処理および操作について説明する。
先ず、携帯用ＡＶ編集装置１およびハイブリッドレコーダ２０における処理の概念について説明する。
図６は、携帯用ＡＶ編集装置１およびハイブリッドレコーダ２０におけるイベントフローの概念図であり、矢印で示されるように図中左から右に向かって順にイベントが実行される。
先ず、図６に示すように、ハイブリッドレコーダ２０において、素材が記録されたＶＴＲ２２について、例えばサーチダイヤル７をユーザがマニュアルで操作してスタンプピクチャを選択するシーンセレクション６０ａのモードあるいは２０倍速でＶＴＲを走行させ自動的にスタンプピクチャを選択する２０倍速シャトル６０ｂのモードとが、ユーザからの指示によって選択的に行われる。
２０倍速シャトル６０ｂのモードが選択されると、携帯用ＡＶ編集装置１は、ハイブリッドレコーダ２０から５〜１０秒毎にスタンプピクチャをパーソナルコンピュータ３のハードディスクに獲得（記録）する。そして、パーソナルコンピュータ３のハードディスクに記録したスタンプピクチャを用いてシーンセレクション６６を行う。シーンセレクション６６は、ユーザがＧＵＩ（グラフィカルユーザインタフェース）を用いて必要なシーンを選択して行われる。ここで、シーンは、一連の複数のスタンプピクチャで構成される。シーンセレクション６６が終了すると、携帯用ＡＶ編集装置１において、シーンセレクション６６によって生成された素材をパーソナルコンピュータ３のハードディスクからＭＯディスク６に記録する素材記録６７が行われる。
一方、シーンセレクション６０ａが行われた場合には、ハイブリッドレコーダ２０においてプレイバック６１が行われ、シーンセレクション６０ａによって生成された素材をハイブリッドレコーダ２０のハードディスク２３に４倍速ダビング６２ａで記録する素材記録６３と、シーンセレクション６０ａによって生成された素材を携帯用ＡＶ編集装置１のＭＯディスク６に記録する素材記録６７とが同時に行われる。
ハイブリッドレコーダ２０において、素材記録６３が行われた後に、オンライン編集６４が行われる。
一方、携帯用ＡＶ編集装置１において、素材記録６７が行われた後に、ＥＤＬを作成するオフライン編集６８が行われる。オフライン編集６８によって作成されたＥＤＬは例えばスタジオに送信され、このＥＤＬを用いてスタジオでオンライン編集が行われる。
次に、オンライン編集およびオフライン編集を行う際に、パーソナルコンピュータ３のディスクプレイ３ａに表示されるＧＵＩの画面について説明する。
図７は、オンライン編集およびオフライン編集において、図１に示すパーソナルコンピュータ３のディスプレイ３ａに表示されるＧＵＩの画面である。
図７に示すように、ディスプレイ３ａに表示されるＧＵＩの画面には、例えば「Ｗｉｎｄｏｗ１」７０が表示してあり、「Ｗｉｎｄｏｗ１」７０の画面には、例えば試写などを行う際にビデオ表示が行われる「Ｖｉｄｅｏ  Ｖｉｅｗｅｒ」ウィンドウ７１、オーディオのレベル調整を行うための「Ａｕｄｉｏ  Ｌｅｖｅｌ  Ｃｏｎｔｒｏｌ」ウィンドウ７２、「Ｂｉｎ」ウィンドウ７３、「Ｐｒｏｇｒａｍ」ウィンドウ７４、モード指定用のアイコン７７および「Ｗｉｎｄｏｗ２」のアイコン７５が表示してある。
ユーザは、例えば、アイコン７５をマウスなどで指定してクリック操作することで、「Ｗｉｎｄｏｗ２」７６をディスプレイ３ａに表示させることができる。
また、ユーザは、例えばアイコン７７をマウスなどで指定してクリック操作することで、アイコン７７の下層に設けられた複数のモード設定用の表示をディスプレイ３ａに表示させることができる。
また、「Ｗｉｎｄｏｗ２」７６、「Ｂｉｎ」ウィンドウ７３および「Ｐｒｏｇｒａｍ」ウィンドウ７４の各区画内には、ＳＤＤＩ信号に応じた映像に関するスタンプピクチャが表示される。
次に、携帯用ＡＶ編集装置１を用いたシーン選択処理について説明する。
図８は、携帯用ＡＶ編集装置１を用いたシーン選択処理のフローチャートである。
ステップＳ１：例えば、図１に示すように、携帯用ＡＶ編集装置１とハイブリッドレコーダ２０とをオンラインで接続した状態で、ユーザが図７に示すようなＧＵＩの画面をマウスなどを用いて操作することで、マニュアルサーチモードあるいはシャトルモードのいずれか一方が選択される。モード指定用の表示は、例えば、図７に示す「Ｗｉｎｄｏｗ１」７０のアイコン７７の下層に存在する。
ステップＳ２：ステップＳ１において、マニュアルサーチモードが選択された場合に実行され、ハイブリッドレコーダ２０のＶＴＲ２２に記録された素材のピクチャがユーザによるサーチダイヤル７のマニュアル操作に応じて例えばパーソナルコンピュータ３のディスプレイ３ａに表示される。
ステップＳ３：ディスプレイ３ａの表示をユーザが見ながら、必要なスタンプピクチャのＩＮ点またはＯＵＴ点を各シーン毎にマーク（登録）する。ここで、ＩＮ点およびＯＵＴ点は、時系列的に連続して位置する複数のスタンプピクチャのうち、編集に必要とされるシーンの最初のスタンプピクチャと最後のスタンプピクチャとをそれぞれ特定する情報である。
ステップＳ４：ステップＳ３でマークしてＩＮ点およびＯＵＴ点のスタンプピクチャを例えばパーソナルコンピュータ３に内蔵されたハードディスクに記録する。
ステップＳ５：ステップＳ３でＩＮ点およびＯＵＴ点をマークしたシーンについてのファイルネームと、当該シーンが記録されているＶＴＲテープの識別番号を示すリールナンバとを登録する。
ステップＳ６：マニュアルサーチモードの処理を完了するか否かを判断し、完了するのであればステップＳ１２の処理を実行し、そうでなければステップＳ２の処理を再び実行する。すなわち、編集に必要な全てのシーンについてマニュアルサーチを完了するまで、ステップＳ２〜６の処理が繰り返し行われる。
ステップＳ２〜Ｓ６の処理は、図６に示すシーンセレクション６０ａに対応している。
ステップＳ７：シャトルモードが選択された場合に実行される。このシャトルモードにおける処理は以下に示すステップＳ７〜１１における処理で構成され、これらの処理は図６に示す２０倍速シャトル６０ｂ、スタンプピクチャ獲得６５およびシーンセレクション６６に対応している。ステップＳ７では、２０倍速でＶＴＲ２２を再生させながらスタンプピクチャを５〜１０秒間隔で生成し、この生成したスタンプピクチャをパーソナルコンピュータ３のハードディスクに記録する。
ステップＳ８：ステップＳ７で記録したスタンプピクチャをパーソナルコンピュータ３のディスプレイ３ａに表示させる。
上述したステップＳ７，８の処理は図６に示す２０倍速シャトル６０ｂおよびスタンプピクチャ獲得６５に対応している。
ステップＳ９：ディスプレイ３ａの表示をユーザが見ながら、必要なスタンプピクチャのＩＮ点またはＯＵＴ点を各シーン毎にマーク（登録）する。
ステップＳ１０：ステップＳ９でＩＮ点またはＯＵＴ点をマークしたシーンについてのファイルネームと、当該シーンが記録されているＶＴＲテープの識別番号を示すリールナンバとを登録する。
ステップＳ１１：シャトルモードの処理を完了するか否かを判断し、完了するのであればステップＳ１２の処理を実行し、そうでなければステップＳ９の処理を再び実行する。すなわち、必要なシーンが全て選択されるまで、ステップＳ９〜１１の処理が繰り返し行われる。
ステップＳ９〜１１の処理は、図６に示すシーンセレクション６６に対応している。
ステップＳ１２：マニュアルサーチモードあるいはシャトルモードによって選択されたシーンを放送局に直接送信するか否かが判断され、直接送信する場合には、後述する図１１に示す「Ａ」の位置に処理を移す。一方、放送局に直接送信しない場合には、後述する図９に示すダビング処理が実行される。
次に、携帯用ＡＶ編集装置１を用いたダビング処理について説明する。
図９は、編集処理におけるダビング処理のフローチャートである。
図９に示すダビング処理は、図６に示すプレイバック６１、４倍速ダビング６２ａ，６２ｂおよび素材記録６３，６７に対応する処理である。
ステップＳ２１：例えば、ユーザが図７に示すようなＧＵＩの画面をマウスなどを用いて操作することで、第１編集モードあるいはスタンプピクチャ追加モードのいずれか一方が選択される。ここで、第１編集モードは、ステップＳ２１の処理が最初に実行される場合に選択される。モード指定用の表示は、例えば、図７に示す「Ｗｉｎｄｏｗ１」７０のアイコン７７の下層に存在する。スタンプピクチャ追加モードは、以前の処理の流れにおいて、シーンセレクションの処理が２回以上行われた場合に実行される。ステップＳ２７では、前回行われたシーンセレクションにおいて作成されたスタンプピクチャ群を、既存のスタンプピクチャ群に追加する処理が行われる。
ステップＳ２２：ステップＳ２１において第１編集モードが選択された場合に実行される。
ステップＳ２３：既存のスタンプピクチャ群およびＥＤＬをクリアする。
ステップＳ２４：４倍速ダビングを行って、ＶＴＲ２２からスタンプピクチャ群を携帯用ＡＶ編集装置１のＭＯディスク６およびハイブリッドレコーダ２０のハードディスク２３に記録する。
ステップＳ２５：図７に示す「Ｂｉｎ」ウィンドウ７３にスタンプピクチャ群を表示させる。
ステップＳ２６：さらにシーンセレクションを行うか否かを判断し、行うと判断した場合には図８に示すシーン選択処理を行い、行わないと判断した場合には後述する図１０に示すＥＤＬ作成処理を行う。
次にＥＤＬ作成処理について説明する。
図１０は、ＥＤＬ作成処理のフローチャートである。
図１０に示すＥＤＬ作成処理は、図６に示すオンライン編集６４およびオフライン編集６８に対応している。
ステップＳ３１：図７に示す「Ｂｉｎ」ウィンドウ７３に表示されたスタンプピクチャをマウスなどを用いて指定し、この指定したスタンプピクチャをシーン単位で図７に示す「Ｐｒｏｇｒａｍ」ウィンドウ７４に移動（ＭＯＶＥ）あるいは複写（ＣＯＰＹ）する。また、「Ｂｉｎ」ウィンドウ７３と「Ｐｒｏｇｒａｍ」ウィンドウ７４の相互間でスタンプピクチャを交換（ＥＸＣＨＡＮＧＥ）したり、「Ｐｒｏｇｒａｍ」ウィンドウ７４に表示されたスタンプピクチャを削除（ＤＥＬＥＴＥ）したりする。
ステップＳ３２：「Ｐｒｏｇｒａｍ」ウィンドウ７４に表示したスタンプピクチャのシーンについて必要な表示部分を残すように、ＩＮ点とＯＵＴ点とをトリミングする。
ステップＳ３３：プリビュー（Preview）するか否かを判断し、プリビューする場合にはステップＳ３６に処理を移行してプリビューを行い、そうでない場合にはステップＳ３４の処理を実行する。
ステップＳ３４：編集を終了するか否かを判断し、必要なシーンを全てプログラムおよび編集した場合には終了すると判断してステップＳ３５の処理を実行し、そうでない場合にはステップＳ３７の処理を実行する。
ステップＳ３５：作成したＥＤＬをオフライン編集の場合は携帯用ＡＶ編集装置１のＭＯディスク６にセーブし、オンライン編集の場合にはハイブリッドレコーダ２０のハードディスク２３にセーブする。このとき、ＥＤＬのセーブは、所定のＥＤＬフォーマットで行われる。
ステップＳ３６：さらにプログラムするシーンが必要か否かを判断し、必要な場合には図８に示すシーン選択処理を再び行い、必要でない場合には図１１に示す最終編集処理を行う。
次に、最終編集処理について説明する。
図１１は、最終編集処理のフローチャートである。
この最終編集処理は、図６に示すイベントフローにおける最終段階において行われる。
ステップＳ４１：オフラインの場合にはステップＳ４８の処理を実行し、オンラインの場合にはステップＳ４２の処理を実行する。
ステップＳ４８：オフラインの場合に実行され、ＥＤＬを伝送するか否かを判断し、伝送する場合にはステップＳ４９の処理を実行し、ＥＤＬを放送局に伝送する。一方、伝送しない場合には現場での処理を終了する。
ステップＳ４２：オンライの場合に実行され、ハイブリッドレコーダ２０のハードディスクに記録された完全パケット（素材）をテープに戻して記録するか否かを判断し、テープに記録する場合にはステップＳ４５の処理を実行し、そうでない場合にはステップＳ４３の処理を実行する。
ステップＳ４５：ハイブリッドレコーダ２０のハードディスク２３に記録された完全パケットをテープに戻して記録する場合に実行され、テープ上のＩＮ点を決定する。
ステップＳ４６：ステップＳ４５で決定したＩＮ点からハイブリッドレコーダ２０のハードディスク２３に記録された完全パケットを記録する。
ステップＳ４３：ビデオ信号を放送局に伝送するか否かを判断し、伝送する場合にはステップＳ４７の処理を実行し、伝送しない場合にはステップＳ４４の処理を実行する。
ステップＳ４７：ビデオ信号を放送局に伝送する。尚、ステップＳ４７の処理は、前述した図８に示すステップＳ１２から処理が移行した場合にも実行される。
ステップＳ４４：処理を終了するか否かが判断され、終了しない場合にはステップＳ４２の処理を再び行い、終了する場合には現場での処理を終了する。
以下、ＳＤＤＩ方式の信号フォーマットを説明する。
図１２はＳＤＤＩ方式のビデオ信号のフレーム構成を示す図であり、図１２ＢはＳＤＤＩ方式の伝送用パケットの構成を示す図であり、図１２Ｃは伝送されるＳＤＤＩ方式のビデオ信号のデータ速度を示す図である。
図１２Ａ，図１２Ｂに示すように、ＳＤＤＩ方式のビデオ信号の各ラインは、ＳＤＩ方式のビデオ信号の各ラインと同様に、水平方向に１ライン当たり１０ビット×１７２４（１７１６）ワード、垂直方向に５２５（６２５）ラインで構成されており、ＳＤＩ方式の分離符号ＳＡＶ，ＥＡＶ、アンシラリデータ部ＡＮＣおよびアクティブビデオ部ＡＣＶ1，ＡＣＶ2にそれぞれ相当する分離符号ＳＡＶ，ＥＡＶ、アンシラリデータ部ＡＮＣおよびペイロード部ＰＡＤ（データ部ＤＴ）を含む。
さらに、ペイロード部ＰＡＤの最後には、アンシラリデータ部ＡＮＣの一部およびペイロード部ＰＡＤ部分の誤り検出および誤り訂正に用いられるＣＲＣ符号が付加されている。
ただし、図１４および図１５Ａ〜Ｅを参照して後述するように、ＳＤＤＩ方式のビデオ信号は、ＳＤＩ方式のビデオ信号と異なり、アンシラリデータ部ＡＮＣデータに音声データを含まず、ペイロード部分に音声データおよび映像データを含んでいる。
なお、図１２Ａに示すように、ＳＤＤＩ方式のビデオ信号のフレームには、それぞれＳＤＩビデオ信号の垂直ブランキング部ＶＢＫおよびオプショナルブランキング部ＯＢＫに対応する部分は含まれていない。
上述したＳＤＤＩ方式のビデオ信号は、図１２Ｃに示すように、２７０Ｍｂｐｓのシリアル形式の伝送信号に変換されてデータ伝送装置１の各構成要素の間で送受信される。
図１３Ａは、図１２に示したＳＤＤＩ方式の伝送用パケットのアンシラリデータ部ＡＮＣに含まれるヘッダ（ＨＥＡＤＥＲ）データの構成を示す。図１３Ｂはヘッダデータがアンシラリデータ部ＡＮＣにおいて置かれる位置を示す図である。
図１３Ａ，図１３Ｂに示すように、ヘッダデータは４３ワードで構成されており、ＳＤＤＩ方式の伝送用パケットのアンシラリデータ部ＡＮＣ先頭に位置しており、３ワードのフラグ（０００ｈ，３ＦＦｈ，３ＦＦｈ）、それぞれ１ワードのデータＩＤ（Ｄａｔａ  ＩＤ）、ブロック番号（Ｂｌｏｃｋ  Ｎｕｍｂｅｒ）、データカウント（Ｄａｔａ  ｃｏｕｎｔ）、データＩＤコード（Ｄａｔａ  ＩＤ  ｃｏｄｅ）、それぞれ１６ワードの宛て先アドレス（Ｄｅｓｔｉｎａｔｉｏｎ  Ａｄｄｒｅｓｓ）、ソースアドレス（Ｓｏｕｒｃｅ  Ａｄｄｒｅｓｓ）、それぞれ１ワードのブロックタイプ（Ｂｌｏｃｋ  Ｔｙｐｅ）、ＣＲＣフラグ（ＣＲＣ  Ｆｌａｇ）、データスタートポジション（Ｄａｔａ  Ｓｔａｒｔ  Ｐｏｓｉｔｉｏｎ）およびチェックサム（Ｃｈｅｃｋ  Ｓｕｍ）の各データを含んでいる。
上述のヘッダデータの内、データＩＤ、ブロック番号、データカウント、データＩＤコードおよびチェックサムは、ＳＤＩ方式と共通のデータであって、ＳＤＩ方式と同じ伝送用フレーム、具体的には、宛て先アドレスおよび発信元アドレスを伝送するためのフレームを構成している。
これらのデータの内、データＩＤは、このフレームにより伝送されるデータが宛て先アドレスおよび発信元アドレスであることを示し、データＩＤは、その伝送用パケットがＳＤＤＩ方式の伝送用パケットであるか、ＳＤＩ用伝送用パケットであるかを示し、チェックサムは、そのフレームのデータのチェックサムによる誤り検出に用いられる。
宛て先アドレスおよび発信元アドレスは、その伝送用パケットが伝送される宛て先の装置、および、その伝送用パケットを送出した装置の識別にそれぞれ用いられるデータである。
ブロックタイプは、ペイロード部ＰＡＤのデータ構成を示す。
具体的には、例えば、固定長データを伝送する場合に、ペイロード部ＰＡＤを１４４０ワード１ブロック構成、７１９ワード２ブロック構成、…、５ワード２７８ブロック構成として用いるか、あるいは、可変長データを伝送するか等を示す。ブロックタイプで可変長データを指定し、ペイロード部ＰＡＤが複数のデータ含む場合には、それぞれのデータの終わりを示す終了符号、および、次のデータが始まることを示す開始符号等がデータ間に挿入され、さらに、全てのデータの終わりには、終了符号のみが付加される。
ＣＲＣフラグは、ペイロード部ＰＡＤの後ろに、その伝送用フレームのペイロード部ＰＡＤにＣＲＣ符号が付加されているか否かを示す。
データスタートポジションは、ペイロード部ＰＡＤの開始位置を示す。
以上のように、ＳＤＩ方式のビデオ信号とＳＤＤＩ方式のビデオ信号の各ラインのデータ長、フレーム構成およびデータ伝送速度は同じにし、さらに、ＳＤＩ方式の伝送用パケットとＳＤＤＩ方式の伝送用パケットとに共通性を持たせることにより、携帯用ＡＶ編集装置１およびハイブリッドレコーダ２０においては、これらを同等のデータとして取り扱うことができる。
図１４は、図１２Ａ，図１２Ｂ，図１２Ｃに示したＳＤＤＩ方式の伝送用パケットのペイロード部ＰＡＤに含まれるビデオ信号のデータ構成を例示する図である。
図１５Ａ〜Ｅは、図１４に示したペイロード部に含まれるデータを示す図であり、図１５Ａは図１４に示した部分ａ，ｂに含まれるデータを示し、図１５Ｂは図１４Ａに示した部分ａ（ＥＸＴＥＮＳＩＯＮ）に含まれるデータを示し、図１５Ｃは図１４に示した部分ｃに含まれるデータを示し、図１５Ｄ，図１５Ｅは図１５Ｃの部分ｃ，ｄ（Ｆｒａｍｅ．Ｓｅｑ．）に含まれるデータの内容を示す。
図１４に示すように、ＳＤＤＩ方式の伝送用パケットのペイロード部ＰＡＤが含むビデオ信号には、セパレータ（ＳＥＰＡＲＡＴＯＲ）、タイプ（ＴＹＰＥ）、ワードカウント（ＷＯＲＤ  ＣＯＵＮＴ）と、２組のシステム（ＳＹＳＴＥＭ）、垂直アンシラリデータ部ＡＮＣ−Ｖ、ヘッダ（ＨＥＡＤＥＲ）、ビデオデータ部（ＶＩＤＥＯ  ＤＡＴＡ）と、セパレータ、タイプおよびワードカウントに続くＧＯＰのフレーム数、チャネルバリッド（ＣＨ  ＶＡＲＩＤ）およびオーディオデータ部（ＡＵＤＩＯ  ＣＨｎ、ｎは整数）等が含まれる。
なお、ＧＯＰとは、ＭＰＥＧ等のフレーム間画像圧縮を行った場合に相互に関連を有するフレームを示す。
図１４に示す各同期データ（ＳＹＮＣ）は、ビデオ信号を再生する際に同期をとるために用いられる。本実施例では、この同期データが放送局内の同期信号として用いられる。
セパレータは、異なるデータを区切る区切り符号として用いられる。
タイプは、ビデオデータ部が含むデータの種別を示す。例えば、ビデオデータ部およびオーディオデータ部に含まれているビデオ信号が圧縮されている場合、その圧縮方法（ＭＰＥＧ等）、ビデオ信号が圧縮されていない場合にはその旨、あるいは、ペイロード部ＰＡＤにコンピュータ用のデータが含まれている場合にはその旨等を示す。
ワードカウントは、そのデータのデータ長を示す。
システムは、図１５Ｃに示すアトリビュートデータと同様な内容を示す。
ヘッダは、圧縮のためのデータであり、例えばフレームの種別（ＭＰＥＧ方式におけるＢ／Ｐ／Ｉフレーム等）あるいはフレームの番号等を示す。
図１４の部分ａ，ｂのデータは、さらに、図１５Ａに示すような内容になっており、図１５Ａの部分ａに示すエクステンション（ＥＸＴＥＮＳＩＯＮ）データとしては、図１５Ｂに示すアトリビュートデータ（ＡＴＴＲＩＢＵＴＥ  ＤＡＴＡ）が含まれる。アトリビュートデータには、アトリビュートタイプ（ＡＴＴＲＩＢＵＴＥ  ＴＹＰＥ）で識別されるデータ、例えば、ビデオ信号に関する日付、記者あるいは監督名および音場設定のデータが含まれる。
図１５Ａにおいて、ＬＤＣデータは、編集作業等の場合に用いられるビデオテープの画像位置を示す番号を時刻で表しており、ビデオテープにおいては、音声ラインの横に記録される。
ＶＩＴＣデータは、編集作業等の場合に用いられるビデオテープの画像位置を示す番号を時刻で表しており、ビデオテープにおいては、映像ラインの横に記録される。
ビデオインデックス（ＶＩＤＥＯ  ＩＮＤＥＸ）データは、ビデオ信号に関する情報、例えばカラーフレーム等の情報を示す。
ＶＡＮＣデータは、ユーザーが用いるデータを示す。
図１４の部分ｃは、さらに図１５Ｃに示すような内容になっており、そのチャネル（ＣＨ１）のフレーム０，１にそれぞれ対応する２つのオーディオデータ（ＡＵＤＩＯ  ＤＡＴＡ）が含まれ、対応するオーディオデータが圧縮されているか否か等を示す圧縮データ、そのチャネルの状態、あるいは、サンプル周波数等を示すチャネルステータス（ＣＨ  Ｓｔａｔｕｓ）およびフレームシーケンス（Ｆｒａｍｅ．Ｓｅｑ．）データが含まれる。
フレームシーケンスデータは、１フレーム５２５ライン構成の場合には図１５Ｄに示す内容となり、１フレーム５２５ライン構成の場合には図１５Ｅに示す内容になる。これらのデータは各フレームの音のサンプル数等を示す。
以上述べた本実施例に示した他、本発明の携帯用ＡＶ編集装置は、種々の構成をとることができる。
以上述べたように本発明によれば、その携帯性から、場所的および時間的な制約を受けずに、オフライン編集処理を行うことができる。
また、本発明の携帯用ＡＶ編集装置によれば、オンライン編集装置と接続することで、オンライン編集装置に関する操作も行うことができる。
産業上の利用可能性
本発明の携帯用ＡＶ編集装置は、種々の状況においてＡＶ編集に用いることができる。
【図１】
0003671421.tif 000002
【図２】
0003671421.tif 000003
【図３】
0003671421.tif 000004
【図４Ａ】
0003671421.tif 000005
【図４Ｂ】
0003671421.tif 000006
【図４Ｃ】
0003671421.tif 000007
【図５Ａ】
0003671421.tif 000008
【図５Ｂ】
0003671421.tif 000009
【図６】
0003671421.tif 000010
【図７】
0003671421.tif 000011
【図８】
0003671421.tif 000012
【図９】
0003671421.tif 000013
【図１０】
0003671421.tif 000014
【図１１】
0003671421.tif 000015
【図１２】
0003671421.tif 000016
【図１３】
0003671421.tif 000017
【図１４】
0003671421.tif 000018
【図１５Ａ】
0003671421.tif 000019
【図１５Ｂ】
0003671421.tif 000020
【図１５Ｃ】
0003671421.tif 000021
【図１５Ｄ】
0003671421.tif 000022
【図１５Ｅ】
0003671421.tif 000023
0003671421.tif 000024